(57)【要約】【課題】本発明はオートフォーカスレンズユニットを提供する。【解決手段】オートフォーカスレンズユニットは、レンズと、第１ベースと、第２ベースと、１対の復帰構造とを備え、レンズは、第１ベース内に位置し、第１ベースは、レンズの光軸に平行な方向に第２ベースにスライド可能に取り付けられ、第１ベースは、第１底板と、第１サイドアームとを備え、第２ベースは、第２底板と、第２サイドアームとを備え、第１サイドアームは、第１板体と、第２板体とを備え、レンズの両側には、それぞれ１つの復帰構造が設けられ、復帰構造は、第２サイドアームと第２板体との間に設けられる磁性鋼アセンブリと、第１板体と第２サイドアームとの間に設けられるガイド構造と、第１サイドアームと第２サイドアームとの間に設けられる弾性部材とを備える。本発明によるオートフォーカスレンズユニットは、構成がコンパクトで、小型化の設計を図れるメリットを有する。【選択図】図１
2021524932.tif 000002
【特許請求の範囲】
【請求項１】
オートフォーカスレンズユニットであって、
レンズと、第１ベースと、第２ベースと、１対の復帰構造とを備え、前記レンズは、前記第１ベース内に位置し、前記第１ベースは、前記レンズの光軸に平行な方向に前記第２ベースにスライド可能に取り付けられ、前記第１ベースは、第１底板と、前記第１底板から折り曲げて延在し、且つそれぞれ前記レンズの両側に位置する第１サイドアームとを備え、前記第２ベースは、第２底板と、前記第２底板から折り曲げて延在し、且つそれぞれ前記第１サイドアームの外側に位置する第２サイドアームとを備え、前記第１サイドアームは、前記第２サイドアームに対向する第１板体と、前記第１板体の前記第１底板から離れる一端から折り曲げて延在し、且つ前記第２サイドアームの上方に位置する第２板体とを備え、前記レンズの両側には、それぞれ１つの前記復帰構造が設けられ、前記復帰構造は、前記第２サイドアームと前記第２板体との間に設けられる磁性鋼アセンブリと、前記第１板体と前記第２サイドアームとの間に設けられるガイド構造と、光軸に平行な方向に前記第１サイドアームと前記第２サイドアームとの間に設けられる弾性部材とを備える、ことを特徴とするオートフォーカスレンズユニット。
【請求項２】
前記磁性鋼アセンブリの光軸に垂直な方向に沿った投影は、前記弾性部材に位置する、ことを特徴とする請求項１に記載のオートフォーカスレンズユニット。
【請求項３】
前記ガイド構造は、前記レンズの光軸に垂直な方向において前記弾性部材と前記磁性鋼アセンブリとの間に位置する、ことを特徴とする請求項１に記載のオートフォーカスレンズユニット。
【請求項４】
前記第１サイドアームは、前記第１板体の光軸方向におけるレンズの物体側から離れる一端から折り曲げて延在する第３板体をさらに備え、前記第１板体、第２板体及び第３板体は、前記第２サイドアームを収容する窪み部を形成する、ことを特徴とする請求項１に記載のオートフォーカスレンズユニット。
【請求項５】
前記第２サイドアームは、前記第２底板に接続される第１接続部と、前記第１接続部と間隔を隔てて対向設置される第２接続部と、前記第１接続部の前記第３板体から離れる一方側及び前記第２接続部の前記第３板体から離れる一方側に接続される第３接続部とを備え、前記弾性部材は、一端が前記第３板体に接続され、他端が前記第３接続部に接続されている、ことを特徴とする請求項４に記載のオートフォーカスレンズユニット。
【請求項６】
前記第２サイドアームと前記第２板体との間には、間隔を隔てて設けられる２つの前記磁性鋼アセンブリが設けられている、ことを特徴とする請求項１に記載のオートフォーカスレンズユニット。
【請求項７】
各前記磁性鋼アセンブリは、前記第２サイドアームの前記第２板体に向かう一方側に設けられる第１磁性鋼と、前記第２板体の前記第２サイドアームに向かう一方側に設けられるとともに、前記第１磁性鋼に正対して設けられる第２磁性鋼とを備える、ことを特徴とする請求項６に記載のオートフォーカスレンズユニット。
【請求項８】
第２サイドアームの前記第２板体に向かう一方側には、第１凹溝が設けられ、前記第１磁性鋼は、前記第１凹溝に嵌設され、前記第２板体の前記第２サイドアームに向かう一方側には、第２凹溝が凹設され、前記第２磁性鋼は、前記第２凹溝に嵌設されている、ことを特徴とする請求項７に記載のオートフォーカスレンズユニット。
【請求項９】
前記第２サイドアームと前記第１板体との間には、間隔を隔てて設けられる２つの前記ガイド構造が設けられている、ことを特徴とする請求項１に記載のオートフォーカスレンズユニット。
【請求項１０】
各前記ガイド構造は、光軸方向に前記第１板体の前記第２サイドアームに向かう表面に凹設される第１ガイド溝と、前記第２サイドアームの前記第１板体に向かう表面に設けられ、前記第１ガイド溝とともにガイド通路を形成するための受け部と、前記第１ガイド溝と前記受け部との間に介在するボールとを備える、ことを特徴とする請求項９に記載のオートフォーカスレンズユニット。
【請求項１１】
前記オートフォーカスレンズユニットは、前記レンズのためのオートフォーカスを実現する記憶合金ワイヤをさらに備え、前記記憶合金ワイヤは、一端が前記第１ベースに固定され、他端が前記第２ベースに固定され、前記弾性部材の光軸に垂直な方向に沿った投影は、前記記憶合金ワイヤに位置する、ことを特徴とする請求項１〜１０のいずれか１項に記載のオートフォーカスレンズユニット。
【発明の詳細な説明】
【技術分野】
【０００１】
本発明は、レンズ光学防振及びオートフォーカスの分野に関し、特にオートフォーカスレンズユニットに関する。
【背景技術】
【０００２】
近年、例えばスマートフォン、タブレットコンピュータのような携帯端末機には、いずれも高性能レンズモジュールが搭載されている。この高性能レンズモジュールは、一般的にオートフォーカス機能(ａｕｔｏ  ｆｏｃｕｓｉｎｇ)及び光学防振機能(ＯＩＳ：ｏｐｔｉｃａｌ  ｉｍａｇｅ  ｓｔａｂｉｌｉｚａｔｉｏｎ)を有する。
【０００３】
従来のカメラレンズモジュールのオートフォーカス機能は、レンズがボイスコイルモータにより駆動されるによってオートフォーカスを実現し、オートフォーカス後、ボイスコイルモータが再びレンズを駆動して、それを初期位置に復帰させる。しかしながら、このような構成のレンズ構造は、複雑であり、レンズモジュールの小型化が困難である。
【発明の概要】
【発明が解決しようとする課題】
【０００４】
従って、上記問題を解決するために、新たなカメラレンズモジュールを提供する必要がある。
【課題を解決するための手段】
【０００５】
本発明は、構造が簡単でコンパクトであり、小型化の設計を実現できるオートフォーカスレンズユニットを提供することを目的とする。
【０００６】
本発明の目的は、以下の技術案で達成される。
【０００７】
オートフォーカスレンズユニットであって、レンズと、第１ベースと、第２ベースと、１対の復帰構造とを備え、前記レンズは、前記第１ベース内に位置し、前記第１ベースは、前記レンズの光軸に平行な方向に前記第２ベースにスライド可能に取り付けられ、前記第１ベースは、第１底板と、前記第１底板から折り曲げて延在し、且つそれぞれ前記レンズの両側に位置する第１サイドアームとを備え、前記第２ベースは、第２底板と、前記第２底板から折り曲げて延在し、且つそれぞれ前記第１サイドアームの外側に位置する第２サイドアームとを備え、前記第１サイドアームは、前記第２サイドアームに対向する第１板体と、前記第１板体の前記第１底板から離れる一端から折り曲げて延在し、且つ前記第２サイドアームの上方に位置する第２板体とを備え、前記レンズの両側には、それぞれ１つの前記復帰構造が設けられ、前記復帰構造は、前記第２サイドアームと前記第２板体との間に設けられる磁性鋼アセンブリと、前記第１板体と前記第２サイドアームとの間に設けられるガイド構造と、光軸に平行な方向に前記第１サイドアームと前記第２サイドアームとの間に設けられる弾性部材とを備える。
【０００８】
１種の改良方式として、前記磁性鋼アセンブリの光軸に垂直な方向に沿った投影は、前記弾性部材に位置する。
【０００９】
１種の改良方式として、前記ガイド構造は、前記レンズの光軸に垂直な方向において前記弾性部材と前記磁性鋼アセンブリとの間に位置する。
【００１０】
１種の改良方式として、前記第１サイドアームは、前記第１板体の光軸方向におけるレンズの物体側から離れる一端から折り曲げて延在する第３板体をさらに備え、前記第１板体、第２板体及び第３板体は、前記第２サイドアームを収容する窪み部を形成する。
【００１１】
１種の改良方式として、前記第２サイドアームは、前記第２底板に接続される第１接続部と、前記第１接続部と間隔を隔てて対向設置される第２接続部と、前記第１接続部の前記第３板体から離れる一方側及び前記第２接続部の前記第３板体から離れる一方側に接続される第３接続部とを備え、前記弾性部材は、一端が前記第３板体に接続され、他端が前記第３接続部に接続されている。
【００１２】
１種の改良方式として、前記第２サイドアームと前記第２板体との間には、間隔を隔てて設けられる２つの前記磁性鋼アセンブリが設けられている。
【００１３】
１種の改良方式として、各前記磁性鋼アセンブリは、前記第２サイドアームの前記第２板体に向かう一方側に設けられる第１磁性鋼と、前記第２板体の前記第２サイドアームに向かう一方側に設けられるとともに、前記第１磁性鋼にと正対して設けられる第２磁性鋼とを備える。
【００１４】
１種の改良方式として、第２サイドアームの前記第２板体に向かう一方側には、第１凹溝が設けられ、前記第１磁性鋼は、前記第１凹溝に嵌設され、前記第２板体の前記第２サイドアームに向かう一方側には、第２凹溝が凹設され、前記第２磁性鋼は、前記第２凹溝に嵌設されている。
【００１５】
１種の改良方式として、前記第２サイドアームと前記第１板体との間には、間隔を隔てて設けられる２つの前記ガイド構造が設けられている。
【００１６】
１種の改良方式として、各前記ガイド構造は、光軸方向に前記第１板体の前記第２サイドアームに向かう表面に凹設される第１ガイド溝と、前記第２サイドアームの前記第１板体に向かう表面に設けられ、前記第１ガイド溝とともにガイド通路を形成するための受け部と、前記第１ガイド溝と前記受け部との間に介在するボールとを備える。
【００１７】
１種の改良方式として、前記オートフォーカスレンズユニットは、前記レンズのためのオートフォーカスを実現する記憶合金ワイヤをさらに備え、前記記憶合金ワイヤは、一端が前記第１ベースに固定され、他端が前記第２ベースに固定され、前記弾性部材の光軸に垂直な方向に沿った投影は、前記記憶合金ワイヤに位置する。
【発明の効果】
【００１８】
本発明の実施形態では、従来技術に対して、弾性部材が磁性鋼アセンブリと協働してずれた第１ベースをガイド構造によるガイドで初期位置に復帰することによって、従来のボイスコイルモータを使用する方式に対して、この設計方式の復帰構造は、構成が簡単であり、そして、磁性鋼アセンブリが第２サイドアームと第２板体との間に設けられ、ガイド構造が第１板体と第２サイドアームとの間に設けられ、弾性部材が光軸に平行な方向に第１サイドアームと第２サイドアームとの間に設けられることによって、復帰構造、第１ベース、第２ベース及びレンズからなる構造の全体は、非常にコンパクトであり、レンズユニット全体の寸法が小さくすることができ、小型化の設計を実現可能である。
【図面の簡単な説明】
【００１９】
【図１】本発明の実施例に係るオートフォーカスレンズユニットの構成概略図である。
【図２】レンズと第１ベースの構成概略図である。
【図３】レンズと第１ベースの別の視角の構成概略図である。
【図４】本発明の実施例に係るオートフォーカスレンズユニットの分解概略図である。
【図５】第１ベースと第２ベースの嵌合の模式図である。
【図６】第１ベースと第２ベースの別の視角の嵌合の模式図である。
【図７】第１ベースと第２ベースの構成概略図である。
【図８】第１ベースの構成概略図である。
【図９】第２ベースの構成概略図である。
【発明を実施するための形態】
【００２０】
以下、図面及び実施形態に合わせて本発明をさらに説明する。
【００２１】
図１〜３を参照すると、本発明の実施例は、レンズユニット１００を提供し、レンズユニット１００は、第１ベース１１と、レンズ１３と、第１記憶合金ワイヤ１４と、第２記憶合金ワイヤ１５とを備え、レンズ１３は、第１ベース１１内に位置する。第１ベース１１は、第１底板１１１と、第１底板１１１から折り曲げて延在し、且つレンズ１３の一方側に位置する第１側板１１２と、第１底板１１１から折り曲げて延在し、且つレンズ１３の他方側に位置する第２側板１１３とを備える。第１記憶合金ワイヤ１４及び第２記憶合金ワイヤ１５は、いずれもレンズ１３の上方に懸架され、第１記憶合金ワイヤ１４は、一端が第１側板１１２の第１底板１１１から離れる一方側に接続され、他端がレンズ１３の第２側板１１２に近接する一方側に接続され、第２記憶合金ワイヤ１５は、一端が第２側板１１３の第１底板１１１から離れる一方側に接続され、他端がレンズ１３の第１側板１１２に近接する一方側に接続され、第１記憶合金ワイヤ１４及び第２記憶合金ワイヤ１５は、いずれもレンズ１３の光軸Ｓに垂直に設けられている。
【００２２】
レンズ１３がずれていない場合、レンズ１３は、第１ベース１２の初期位置に位置し、第１記憶合金ワイヤ１４及び第２記憶合金ワイヤ１５は、弛緩状態にあり、レンズ１３が第１側板１１２又は第２側板１１３に向かってずれたとき、レンズ１３が第２側板１１３に向かってずれたことを例として、第１記憶合金ワイヤ１４が引き伸ばされ、第１記憶合金ワイヤ１４に通電すると、温度が上昇し、第１記憶合金ワイヤ１４は自身の物理的特性に応じて、長さが短くなって、レンズ１３を初期位置に引き戻してレンズ１３の光学防振を実現し、レンズ１３の結像品質を向上させる。
【００２３】
従来技術に対して、本実施例では、第１記憶合金ワイヤ１４及び第２記憶合金ワイヤ１５を設けて、これらが通電されて変形することで、レンズ１３を動かして第１側板１１２と第２側板１１３の間に往復移動させることによって、光学防振を実現し、従来のボイスコイルと磁性鋼との相互作用の方式を用いて駆動する必要がなく、磁界干渉問題がなく、安定性が高く、また、この駆動の設置方式では、構造が簡単であり、取り付けに便利であり、別途ホール素子を追加する必要がなく、特殊な環境で使用安定性が高く、且つ、従来の磁石と防振コイルとの協働による防振構造に対して、本実施例では、第１記憶合金ワイヤ１４及び第２記憶合金ワイヤ１５が用いられることによって、著しく重量を軽減させ、コストを低下させることができる。なお、従来の磁石と防振コイルとの協働による防振構造に対して、本実施例で用いられる第１記憶合金ワイヤ１４及び第２記憶合金ワイヤ１５は、少量の電流を投入すれば、レンズ１３を引っ張ることで光学防振の効果を奏することが可能となり、電力消費を効果的に低減することができる。
【００２４】
理解できるように、第１記憶合金ワイヤ１４及び第２記憶合金ワイヤ１５は、間隔を隔てて平行に設置されることに限定されず、例えば、第１記憶合金ワイヤ１４及び第２記憶合金ワイヤ１５は、同軸設置（第１記憶合金ワイヤ１４は、一端が第１側板１１２に接続され、他端がレンズ１３の中間位置に接続され、同様に、第２記憶合金ワイヤ１５は、一端が第２側板１１３に接続され、他端がレンズ１３の中間位置に接続される）とされてもよく、第１記憶合金ワイヤ１４及び第２記憶合金ワイヤ１５は、レンズ１３が第１側板１１２及び第２側板１１３に対して往復移動するようにレンズ１３を引っ張り、光学防振を実現できればよい。さらに、第１記憶合金１３の一端は、第１側板１１２の第１底板１１１から離れる一方側に接続されることに限定されず、第１記憶合金１３は、一端が第１側板１１２の任意の位置に接続され、他端がレンズ１３に接続されてもよく、第１記憶合金１３は、レンズ１３を引っ張って第１側板１１２と第２側板１１３との間に移動するように十分な長さを有すればよい。
【００２５】
好ましくは、本実施例では、第１記憶合金ワイヤ１４及び第２記憶合金ワイヤ１５は、いずれもニッケルチタン合金材料で製造され、第１記憶合金ワイヤ１４及び第２記憶合金ワイヤ１５に通電する電気量を制御することによって、第１記憶合金ワイヤ１４及び第２記憶合金ワイヤ１５に生成する熱を制御することができ、第１記憶合金ワイヤ１４及び第２記憶合金ワイヤ１５の短縮量を制御することができる。
【００２６】
なお、第１記憶合金ワイヤ１４及び第２記憶合金ワイヤ１５は、その自身の物理的特性によって、長さが短くなると、その抵抗値が変化する。そのため、検出回路及びチップを設けることによって、レンズがずれたかどうかを検出することができ、具体的に、検出回路が第１記憶合金ワイヤ１４及び第２記憶合金ワイヤ１５を流れる電流の大きさを検出し、信号をチップに伝達し、チップは、検出された電流信号から、第１記憶合金ワイヤ１４及び第２記憶合金ワイヤ１５の抵抗値を演算し、そして、チップは第１記憶合金ワイヤ１４及び第２記憶合金ワイヤ１５の抵抗値と長さとの対応関係に基づいて第１記憶合金ワイヤ１４及び第２記憶合金ワイヤ１５の長さの値を取得して、第１記憶合金ワイヤ１４及び第２記憶合金ワイヤ１５が短縮されるかどうか及び短縮量がどのくらいかを判断し、これに基づいて逆に、第１記憶合金ワイヤ１４及び第２記憶合金ワイヤ１５に通電する電流の大きさを制御し、レンズ１３を初期位置に正確に引き戻す。
【００２７】
本実施例の１種の改良方式として、レンズユニット１００は、２つの第１接続端子１６及び２つの第２接続端子１７をさらに備え、２つの第１接続端子１６のうちの一方は、第１側板１１２の第１底板１１１から離れる一方側に接続され、他方は、レンズ１３の第２側板１１３に近接する一方側に接続され、第１記憶合金ワイヤ１４の両端は、それぞれ２つの第１接続端子１６に接続され、２つの第２接続端子１７のうちの一方は、第２側板１１３の第１底板１１１から離れる一方側に接続され、他方は、レンズ１３の第１側板１１２に近接する一方側に接続され、第２記憶合金ワイヤ１５の両端は、それぞれ２つの第２接続端子１７に接続されている。第１接続端子１６及び第２接続端子１７を設けることにより、第１記憶合金ワイヤ１４と第１側板１１２、第２記憶合金ワイヤ１５と第２側板１１３を接続しやすくなり、一方で、第１記憶合金ワイヤ１４及び第２記憶合金ワイヤ１５を外接電源線と接続しやすくなる。
【００２８】
理解できるように、レンズユニット１００には、第１接続端子１６及び第２接続端子１７が設けられなくてもよく、第１記憶合金ワイヤ１４及び第２記憶合金ワイヤ１５は、他の接続方式でレンズ１３と第１側板１１２、第２側板１１３との間に固定されてもよい。
【００２９】
本実施例の１種の改良方式として、レンズユニット１０は、レンズ１３と第１ベース１１との間に設けられる第１ボール１８をさらに備える。第１ボール１８を設けることによって、レンズ１３が第１側板１１２と第２側板１１３との間に移動する際の摩擦力を低減でき、レンズ１３の移動をよりスムーズにして、光学防振のレスポンスをより敏感にすることができる。
【００３０】
本実施例の１種の改良方式として、第１側板１１２及び第２側板１１３には、いずれも第１凹溝１１５が設けられ、レンズ１３の対向する両側に逆向きに第１凸出部１３１が凸設され、２つの第１凸出部１３１は、２つの第１凹溝１１５にそれぞれ嵌設され、それぞれの第１凹溝１１５は、光軸Ｓ方向に間隔を隔てて設けられる第１側面１１６、第２側面１１７を備え、それぞれの第１凸出部１３１は、第１側面１１６に対向設置される第１表面１３２及び第２側面１１７に対向設置される第２表面１３３を備え、第１側面１１６には、第１ガイド溝１１８が凹設され、第１表面１３２には、第１ガイド溝１１８に位置合わせて設けられる第２ガイド溝１３４が凹設され、第１ガイド溝１１８と第２ガイド溝１３４との間には、少なくとも１つの第１ボール１８が嵌設されている。第１ガイド溝１１８は、光軸Ｓの方向に垂直であり、第１底板１１１に平行に設けられている。
【００３１】
本実施例の１種の改良方式として、第１ガイド溝１１８は、２つ設けられ、２つの第１ガイド溝１１８は、第１底板１１１に垂直な方向に平行に間隔を隔てて設けられている。第２ガイド溝１３４は、２つ設けられ、２つの第２ガイド溝１３４は、第１底板１１１に垂直な方向に平行に間隔を隔てて設けられ、２つの第２ガイド溝１３４は、それぞれ２つの第１ガイド溝１１８に位置合わせて設けられ、各グループの第１ガイド溝１１８と第２ガイド溝１３４との間に少なくとも１つの第１ボール１８が嵌設されている。２つのグループの第１ガイド溝１１８、第２ガイド溝１３４を設けることによって、レンズ１３の動作はより安定となる。
【００３２】
本実施例の１種の改良方式として、第１凸出部１３１は、第２表面１３３の所在する側に、第１磁性鋼１３５が設けられ、第１凹溝１１５は、第２側面１１７には、第１磁性鋼１３５に正対して設けられ、第１磁性鋼１３５と磁力吸着するための第２磁性鋼１１９が設けられている。第１磁性鋼１３５及び第２磁性鋼１１９は、主に、第１記憶合金ワイヤ１４又は第２記憶合金ワイヤ１５と協働して、ずれたレンズ１３を初期位置に復帰させるために用いられる。初期の際、レンズ１３はずれておらず、第１磁性鋼１３５は、第２磁性鋼１１９に正対して設けられ、レンズ１３がずれたとき、例えば、レンズ１３が第２側板１１３へずれたとき、第１記憶合金ワイヤ１４は引き伸ばされ、第１磁性鋼１３５及び第２磁性鋼１１９は位置ずれし、第１記憶合金ワイヤ１４は通電されて収縮し、同時に第１磁性鋼１３５と第２磁性鋼１１９との間の相互の磁力作用と協働して、レンズ１３を初期位置に復帰させる。
【００３３】
図１、図４〜９を参照すると、本実施例の１種の改良方式として、レンズユニット１００は、第２ベース１９と、第３記憶合金ワイヤ２０と、第４記憶合金ワイヤ２１と、１対の復帰構造２２とをさらに備え、第１ベース１１は、レンズ１３の光軸Ｓに平行な方向に第２ベース１９にスライド可能に取り付けられ、第２ベース１９は、第２底板１９１と、第２底板１９１から折り曲げて延在し、且つ第１側板１１２の外側に位置する第３側板１９２と、第２底板１９１から折り曲げて延在し、且つ第２側板１１３の外側に位置する第４側板１９３とを備える。第３記憶合金ワイヤ２０は、光軸Ｓに平行な方向に延在し、且つ両端がそれぞれ第１側板１１２、第３側板１９２に接続され、第４記憶合金ワイヤ２１は、光軸Ｓ方向に延在し、且つ両端がそれぞれ第２側板１１３、第４側板１９３に接続され、第１側板１１２と第３側板１９２との間、及び第２側板１１３と第４側板１９３との間にはいずれも復帰構造２２が設けられ、当該復帰構造２２は、ずれた第１ベース１１及びレンズ１３を初期位置に復帰させることに用いられる。
【００３４】
初期の際、第１ベース１１は、第２ベース１９の初期位置に位置し、即ち、レンズ１３は、予め設定された初期位置に位置する。フォーカスを行うとき、第３記憶合金ワイヤ２０と第４記憶合金ワイヤ２１に電流を通電して、第３記憶合金ワイヤ２０及び第４記憶合金ワイヤ２１は発熱して長さが収縮することによって、第１ベース１１が第２ベース１３に対してレンズ１３の光軸Ｓの方向に変位するように第１ベース１１を引っ張って、レンズ１３のフォーカスを実現する。フォーカスが完了後、電流を切断して、復帰構造は、レンズ１３を第１ベース１１とともに初期位置に復帰させる。
【００３５】
従来技術に対して、本実施例は、第３記憶合金ワイヤ２０及び第４記憶合金ワイヤ２１が通電されて変形し、復帰構造２０と協働して第１ベース１１を動かし、即ち、レンズ１３が光軸Ｓ方向に移動するようにすることによって、レンズ１３のオートフォーカスを実現し、従来のボイスコイルと磁性鋼との相互作用の方式を用いて駆動する必要がなく、磁界干渉問題がなく、安定性が高く、また、このような駆動の設置方式は、構造が簡単で取り付けが便利であり、別途ホール素子を追加する必要がなく、特殊な環境での使用の信頼性が高い。さらに、従来の磁石と防振コイルとの協働による防振構造に対して、本実施例で第３記憶合金ワイヤ２０及び第４記憶合金ワイヤ２１が用いられることにより、著しく重量を軽減させ、コストを低下させることができる。なお、従来の磁石と防振コイルとの協働による防振構造に対して、本実施例で用いられる第３記憶合金ワイヤ２０及び第４記憶合金ワイヤ２１は、少量の電流を流せば、第１ベース１１が変位するように引っ張ることが可能であり、オートフォーカスの効果を奏し、電力消費を効果的に低減することができる。
【００３６】
説明の便宜上、第１ベース１１の第１側板１１２及び第２側板１１３を第１サイドアーム１１ａと総称し、第２ベース１９の第３側板１９２及び第４側板１９３を第２サイドアーム１９ａと総称すると、第１ベース１１は、第１底板１１１と、第１底板１１１から折り曲げて延在し、且つそれぞれレンズ１３の両側に位置する第１サイドアーム１１ａとを備え、第２ベース１９は、第２底板１９１と、第２底板１９１から折り曲げて延在し、且つそれぞれ第１サイドアーム１１ａの外側に位置する第２サイドアーム１９ａとを備え、第１サイドアーム１１ａは、第２サイドアーム１９ａに対向する第１板体１０１と、第１板体１０１の第１底板１１２から離れる一端から折り曲げて延在し、且つ第２サイドアーム１９ａの上方に位置する第２板体１０２とを備え、レンズ１３の両側にそれぞれ１つの復帰構造２２が設けられ、復帰構造２２は、第２サイドアーム１９ａと第２板体１０２との間に設けられる磁性鋼アセンブリ２３と、第１板体１０１と第２サイドアーム１９ａとの間に設けられるガイド構造２４と、光軸Ｓに平行な方向に第１サイドアーム１１ａと第２サイドアーム１９ａとの間に設けられる弾性部材２５とを備える。本実施例では、弾性部材２５が磁性鋼アセンブリ２３と協働してずれた第１ベース１１をガイド構造２４のガイドで初期位置に復帰させるように設けられることにより、従来のボイスコイルモータを用いる方式に対して、このような設計方式の復帰構造２２は、構造が簡単であり、そして、磁性鋼アセンブリ２３が第２サイドアーム１９ａと第２板体１０２との間に設けられ、ガイド構造２４が第１板体１０１と第２サイドアーム１９ａとの間に設けられ、弾性部材２５が光軸Ｓに平行な方向に第１サイドアーム１１ａと第２サイドアーム１９ａとの間に設けられることにより、復帰構造２２、第１ベース１１、第２ベース１９及びレンズ１３の形成する全体の構造は、非常にコンパクトであり、レンズユニット１００全体の寸法は小さくすることが可能であり、小型化の設計が図れる。
【００３７】
本実施例の１種の改良方式として、光軸Ｓに垂直な方向に沿った磁性鋼アセンブリ２３の投影が弾性部材２５に位置する。
【００３８】
本実施例の１種の改良方式として、ガイド構造２４は、レンズ１３の光軸Ｓに垂直な方向に、弾性部材２５と磁性鋼アセンブリ２３との間に位置する。
【００３９】
本実施例の１種の改良方式として、第１サイドアーム１１ａは、第１板体１０１の光軸Ｓ方向にレンズ１３の物体側から離れる一端から折り曲げて延在する第３板体１０３をさらに備え、第１板体１０１、第２板体１０２及び第３板体１０３は、第２サイドアーム１９ａを収容する窪み部２６を形成する。
【００４０】
本実施例の１種の改良方式として、第２サイドアーム１９ａは、第２底板１９１に接続される第１接続部１０４と、第１接続部１０４と間隔を隔てて対向設置される第２接続部１０５と、第１接続部１０４の第３板体１０３から離れる一方側及び第２接続部１０５の第３板体１０３から離れる一方側に接続される第３接続部１０６とを備え、弾性部材２５は、一端が第３板体１０３に接続され、他端が第３接続部１０６に接続されている。
【００４１】
本実施例の１種の改良方式として、第２サイドアーム１９ａと第２板体１０２との間には、間隔を隔てて設けられる２つの磁性鋼アセンブリ２３が設けられている。
【００４２】
本実施例の１種の改良方式として、各前記磁性鋼アセンブリ２３は、第２サイドアーム１９ａの第２板体１０２に向かう一方側に設けられる第１磁性鋼２３１と、第２板体１０２の第２サイドアーム１９ａに向かう一方側に設けられるとともに、第１磁性鋼２３１に正対して設けられる第２磁性鋼２３２とを備える。レンズ１３が初期位置に位置するとき、第１磁性鋼２３１が第２磁性鋼２３２に正対して設けられ、第３記憶合金ワイヤ２０及び第４記憶合金ワイヤ２１は、第１ベース１１が第２ベース１９に対して変位するように第１ベース１１を引っ張る際とき、第１磁性鋼２３１と第２磁性鋼２３２とが位置ずれを起こし、第３記憶合金ワイヤ２０及び第４記憶合金ワイヤ２１が電流を遮断した後、第１磁性鋼２３１及び第２磁性鋼２３２は、磁力作用により、弾性部材２５の弾性力の作用と協働して、第１ベース１１及びレンズ１３を初期位置に復帰させる。
【００４３】
本実施例の１種の改良方式として、第２サイドアーム１９ａの第２板体１０２に向かう一方側には、第１収容溝１９５が設けられ、第１磁性鋼２３１は、第１収容溝１９５に嵌設され、第２板体１０２の第２サイドアーム１９ａに向かう一方側には、第２収容溝１０７が凹設され、第２磁性鋼嵌２３２は、第２収容溝１０７に設けられている。第１磁性鋼２３１を収容するように第１収容溝１９５が設けられ、第２磁性鋼２３２を収容するように第２収容溝１０７が設けられることによって、レンズユニット１００の空間の合理的な利用を実現することができ、構造がよりコンパクトになる。
【００４４】
本実施例の１種の改良方式として、第２サイドアーム１９ａと第１板体１０１との間には、間隔を隔てて設けられる２つのガイド構造２４が設けられている。具体的に、各前記ガイド構造２４は、光軸Ｓ方向に第１板体１０１の第２サイドアーム１９ａに向かう表面に凹設される第１ガイド溝２４１と、第２サイドアーム１９ａの第１板体１０１に向かう表面に設けられ、第１ガイド溝２４１とともにガイド通路を形成するための受け部２４２と、第１ガイド溝２４１と受け部２４２との間に介在する第２ボール２４３とを備える。磁性鋼アセンブリ２３の両側にガイド構造２４を設けることにより、第２サイドアーム１９ａと第１板体１０１が相対的に摺動する時の摩擦力を低減させることができ、第１ベース１１のずれと復帰がより敏感になる。
【００４５】
本実施例の１種の改良方式として、第３記憶合金ワイヤ２０と同一側に位置する弾性部材２５における光軸Ｓに垂直な方向に沿った投影は、第３記憶合金ワイヤ２０に位置し、第４記憶合金ワイヤ２１と同一側に位置する弾性部材２５における光軸Ｓに垂直な方向に沿った投影は、第４記憶合金ワイヤ２１に位置する。
【００４６】
本実施例の１種の改良方式として、レンズユニット１００は、２つの第３接続端子２７及び２つの第４接続端子２８をさらに備え、２つの第３接続端子２７は、それぞれ第１サイドアーム１１ａと第２サイドアーム１９ａに取り付けられ、第３記憶合金ワイヤ２０の両端は、それぞれ２つの第３接続端子２７に接続され、２つの第４接続端子２８は、それぞれ第１サイドアーム１１ａと第２サイドアーム１９ａに取り付けられ、第４記憶合金ワイヤ２１の両端は、それぞれ２つの第４接続端子２８に接続されている。
【００４７】
以上は本発明の実施形態に過ぎず、当業者であれば本発明の思想を逸脱することなく改良を加えることができるが、これらは全て本発明の保護範囲に含まれる。
【図１】
2021524932.tif 000003
【図２】
2021524932.tif 000004
【図３】
2021524932.tif 000005
【図４】
2021524932.tif 000006
【図５】
2021524932.tif 000007
【図６】
2021524932.tif 000008
【図７】
2021524932.tif 000009
【図８】
2021524932.tif 000010
【図９】
2021524932.tif 000011
【国際調査報告】
2021524932.tif 000012
2021524932.tif 000013
2021524932.tif 000014
2021524932.tif 000015